(57)【要約】本発明は、ユーザーによって患者に貼付するためのユーザー構成可能なプレカット・キネシオロジテープのストリップを提供する。ストリップの各端部は浅裂であり、ローブの間にトラフを備えている。ローブはそれぞれ対になって向かい合って配置されている。裏紙には、ローブの間のトラフを結ぶグリッド線が付されている。グリッド線は、裏紙を除去し、患者の身体に貼付するのに先立ち、ストリップを選択的にカットし、いくつかの可能な構成のいずれか１つに成形することを許容する。また、このようなストリップを構成する方法も提供する。【選択図】図１
2016524497.tif 000002
【特許請求の範囲】
【請求項１】
第１の端部と第２の端部とを備えたプレカット・キネシオロジテープのストリップと、
前記キネシオロジテープのストリップの接着面の上にある裏紙とを備え、
前記第１の端部と前記第２の端部にはそれぞれ複数のローブを備え、前記複数のローブはそれぞれ対になって向かい合って配置され、前記第１の端部と前記第２の端部にある前記複数のローブは、間にトラフを備えて互いに概ね隣接しており、
前記裏紙には前記キネシオロジテープのストリップの一方の前記端部から他方の端部まで対向する複数のトラフを結ぶ第１のセットの複数の長手方向に延びるグリッド線が付されており、前記複数の長手方向に延びるグリッド線は前記キネシオロジテープのストリップ及び前記裏紙の複数のアンカット部に対応しており、
前記長手方向に延びるグリッド線が、前記裏紙を除去して、患者の身体に貼付するのに先立ち、前記キネシオロジテープのストリップをいくつかの可能な構成のいずれか１つに成形するために、１以上の前記長手方向に延びるグリッド線に沿って前記キネシオロジテープのストリップを選択的にカットすることを許容することを特徴とするユーザーによって患者に貼付されるユーザー構成可能なプレカット・キネシオロジテープのストリップ。
【請求項２】
前記裏紙に一定間隔で複数の幅方向に延びるグリッド線が付されていることを特徴とする請求項１に記載のユーザー構成可能なプレカット・キネシオロジテープのストリップ。
【請求項３】
前記複数の幅方向に延びるグリッド線は、最も近い位置にある前記第１の端部又は前記第２の端部の前記複数のローブ及び前記複数のトラフと対応する複数のローブ及び複数のトラフを備えていることを特徴とする請求項２に記載のユーザー構成可能なプレカット・キネシオロジテープのストリップ。
【請求項４】
前記キネシオロジテープのストリップには、前記裏紙の前記第１のセットの複数の長手方向に延びるグリッド線と対向する第２のセットの複数の長手方向に延びるグリッド線を備えていることを特徴とする請求項１に記載のユーザー構成可能なプレカット・キネシオロジテープのストリップ。
【請求項５】
前記複数のローブは、概ね丸みを帯びていることを特徴とする請求項１に記載のユーザー構成可能なプレカット・キネシオロジテープのストリップ。
【請求項６】
前記複数のトラフは、概ねＶ字形状または概ね切欠き形状であることを特徴とする請求項１に記載のユーザー構成可能なプレカット・キネシオロジテープのストリップ。
【請求項７】
前記複数のトラフは、前記複数のローブの間のスペースとなっていることを特徴とする請求項１に記載のユーザー構成可能なプレカット・キネシオロジテープのストリップ。
【請求項８】
前記キネシオロジテープのストリップの長さ寸法は、少なくとも約２５４ｍｍ（１０インチ）であることを特徴とする請求項１に記載のユーザー構成可能なプレカット・キネシオロジテープのストリップ。
【請求項９】
前記キネシオロジテープのストリップの幅寸法は、少なくとも約７６．２ｍｍ（３インチ）であることを特徴とする請求項１に記載のユーザー構成可能なプレカット・キネシオロジテープのストリップ。
【請求項１０】
前記第１の端部と前記第２の端部には、それぞれ少なくとも約３つのローブが備えられていることを特徴とする請求項１に記載のユーザー構成可能なプレカット・キネシオロジテープのストリップ。
【請求項１１】
ユーザにより患者にキネシオロジテープのストリップを貼付するために前記キネシオロジテープのストリップを構成する方法であって、
前記キネシオロジテープのストリップが第１の端部と第２の端部とを備え、前記第１の端部と第２の端部のそれぞれが複数のローブを備え、前記複数のローブがそれぞれ対になって向かい合って配置され、前記第１の端部と前記第２の端部にある前記複数のローブは間にトラフを備えて互いに概ね隣接しており、前記キネシオロジテープのストリップがその接着面の上に裏紙を備え、前記キネシオロジテープのストリップ及び前記裏紙の少なくとも一方には、前記キネシオロジテープのストリップの一方の前記端部から他方の端部まで対向する複数のトラフを結ぶ１つのセットの複数の長手方向に延びるグリッド線が付されており、前記複数の長手方向に延びるグリッド線は前記キネシオロジテープのストリップ及び前記裏紙の複数のアンカット部に対応しており、
１以上の前記長手方向に延びるグリッド線の少なくとも一部に沿って前記キネシオロジテープのストリップを選択的にカットを行うカットするステップを備えて、１つのトラフから各カットを開始し、
前記ステップにより、少なくとも一つのアンカー部が前記キネシオロジテープのストリップに残り、前記少なくとも１つのアンカー部が患者に最初に貼付するためにユーザによって選択され、前記少なくとも１つのアンカー部が前記ユーザの好みに応じて、前記ストリップに沿うどのような場所にも選択的に位置決め可能になり、
しかも前記ステップにより、前記カットされた複数のグリッド線により複数のフィンガー部が形成され、前記複数のフィンガー部が前記アンカー部を貼付した後に前記患者に貼付するために、次に前記ユーザによって選択される前記キネシオロジテープのストリップの複数の部分となることを特徴とするキネシオロジテープのストリップを構成する方法。
【請求項１２】
前記キネシオロジテープのストリップはさらに、前記キネシオロジテープのストリップ及び前記裏紙の一方または双方に沿って一定間隔で付された複数の幅方向に延びるグリッド線を備えており、
前記カットするステップは、少なくとも１つの前記複数の直交グリッド線に沿って選択的にカットすることを含む請求項１１に記載の方法。
【請求項１３】
前記複数の幅方向に延びるグリッド線は、最も近い位置にある前記第１の端部又は前記第２の端部の前記複数のローブ及び前記複数のトラフと対応する複数のローブ及び複数のトラフを備えており、
さらに、前記カットするステップは、前記複数のローブ及び前記複数のトラフを辿るために、少なくとも１つの前記幅方向に延びるグリッド線に沿って選択的にカットすることを含む請求項１２に記載の方法。
【請求項１４】
少なくとも前記複数の幅方向に延びるグリッド線の一部をカットするのに先立ち、前記複数の長手方向に延びるグリッド線の少なくとも一部がカットされる請求項１２に記載の方法。
【請求項１５】
前記カットするステップは、１つの前記フィンガー部を短くする、または前記１つのフィンガー部を除去するために前記１つのフィンガー部に対応する前記複数の幅方向に延びるグリッド線の一部のみをカットすることを含む請求項１４に記載の方法。
【請求項１６】
前記カットするステップは、１つのグリッド線の幅の１つのフィンガー部を形成するために、互いに平行な前記複数の長手方向に延びるグリッド線をカットすることを含む請求項１１に記載の方法。
【請求項１７】
前記カットするステップは、１つのグリッド線の幅より大きい１つのフィンガー部を形成するために、１以上の前記複数の長手方向に延びるグリッド線により間隔を空けられた、複数の長手方向に延びるグリッド線をカットすることを含む請求項１１に記載の方法。
【請求項１８】
前記カットするステップは、異なる長さの複数のカットを形成することを含む請求項１１に記載の方法。
【請求項１９】
前記カットするステップは、同じ長さの複数のカットを形成することを含む請求項１１に記載の方法。
【請求項２０】
前記カットするステップは、概ね互いに対向しているか又は対向する端部において互いにオフセットされた前記複数のグリッド線の複数の部分をカットすることを含む請求項１１に記載の方法。
【発明の詳細な説明】
【技術分野】
【０００１】
本発明は、キネシオロジテープ（kinesiology tapes）に関し、より詳しくは、患者に貼付するプレカット・キネシオロジテープのストリップ（precut strips of kinesiology tape for application to patients）に関する。
【背景技術】
【０００２】
高伸縮性接着式サポートテープの一種であるキネシオロジテープは、弱った筋肉組織（weak musculature）をアシストする機能を果たす。テープの伸縮性が、サポートされる身体の部分を横切って軽度の張力を与え、実質的に補助筋肉として機能する。
【０００３】
キネシオロジテープは、緊急時において、痛みを和らげる治療（pain therapy）にも使用することができる。テープが筋膜及び／または筋組織に刺激を与えている皮膚を持ち上げ、血液及びリンパの流れ（lymphatic flow）を刺激し、痛む関節（affected joint）に対する力を改め、筋肉の抑制（inhibition）及び促通（facilitation）をもたらし、機械的受容体（mechanoreceptor）、侵害受容体（nociceptor）、外受容受容体（exteroceptive receptor）及び皮膚の固有受容性の求心性神経（cutaneous proprioceptive afferent）などの筋肉及び皮膚の受容体（receptor）を刺激する。
【０００４】
これらの効果を生み出すために、テープの接着性は重要である。テープは、身体に直接貼る。接着性は、テープが張力を受けて、身体の部分が通常の活動に使用されている場合においても、身体に貼られたテープの全長の対向する両端が、接着し続ける程度に十分に強い。
【０００５】
長年、ロール状のキネシオロジテープが使用されてきた。キネシオロジテープはロールからストリップに切り出されて使用され、個々の治療用に成形するために、さらにカットされる（全て手動による）。これらの切り出し及び成形は多大な時間を必要とする。従来のキネシオロジテープの形式の他の欠点は、ロール製品がしばしば狭い幅（７６．２ｍｍ[３インチ]未満）のものしか手に入らないことである。狭い幅の製品はロールの状態で収納するのは便利なサイズであるが、多くの身体の部分をサポートするための効果的な被覆（coverage）として、必ずしもこのサイズが助けとはならない（conducive）。医師がテープを貼付する際に、望ましい効果又は被覆を得るために、カットして、複数片のテープを貼付しなければならないだろう。これらは貼付プロセスを複雑にし、関与する時間を増大させる。
【０００６】
最近になって、プレカット・キネシオロジテープ貼付材（precut kinesiology tape application）が知られてきている。ＣＡ２，５７８，９２７（特許文献１）には、プレカット接着式身体サポート体及びサポートシステム（Precut Adhesive Body Support Articles and Support System）の一例が示されている。このようなプレカット貼付材は、素早く貼付できることと、容易に使用できることに起因して、大量消費市場において、莫大な人気を獲得している。
【０００７】
プレカット製品（precuts）の傾向は、より高度な利便性に向かっている。したがって、入手可能なプレカット貼付材は、それぞれ異なる身体の部分や端部形状を指向している（directed）。ユーザーは、貼付をするために有用なテープブレース（usable tape brace）を予め得るためのいかなる切り出しや成形もする必要がない。これらは、基本的には誰にでも扱える（essentially “fool-proof.”）ことから、プレカット貼付材を、特に直販マーケット（direct-to-consumer market）に適合させている。
【０００８】
しかしながら、専門的診療においては、このようなプレカット貼付材は、過剰に制限されているように感じる可能性がある。専門的なユーザーは、現在入手できるプレカット製品よりも、より高度な柔軟性を望んでいるだろう。しかしながら、テープロールから切り出すという別の方法は、時間が掛りすぎるし、面倒になりがちである。さらに、ロール状のテープは、幅が制限されており、広く貼付するためには適さないだろう。さらに、各カット片の端部は、毎回、手で丸みをもたせなければならない（hand-rounded）。このように、端部を手で切断することは、時間の無駄であり、また、裁ち端が剥がれ、不所望な端の持ち上がりや汚れ（undesirable edge lift or fouling）につながる可能性がある。また、同じ専門家が同じ患者に用いた場合であっても、ロールから手で切り出したストリップは、切り出された時々によって異なる非常に非標準的な（highly non-standardized）ものとなる。また、きめ細かいもの（detailed）や、連続して均一に（consistently and evenly）カットしたもの（例えば、リンパティックカット［lymphatic cuts］）を得るのは困難である。
【０００９】
あるロール状のストリップは、非常に基本的な貼付であれば便利かもしれないが、それらは制限され過ぎている。中心線をカットしたロール状のテープストリップは、「Ｉ」，「Ｙ」及び「Ｘ」の形状以外の貼付においては、不適切である。さらに、これらは幅や長さが制限されるため、その結果、広く貼付するためにも不適切だろう。また、中心線をカットしたストリップは、望まれずに開いてしまうため、その結果、貼付する際に問題を引き起こす。
【発明の概要】
【発明が解決しようとする課題】
【００１０】
高度に特殊化された形状の市販されているプレカット貼付材は、多数存在しているが、一般的には、ロール状のテープのカスタマイズ性（customizability）の一部を保ち、プレカット貼付材の幾らかの便益を得るという、複合選択肢（hybrid option）を備えることが望ましい。
【課題を解決するための手段】
【００１１】
本発明の第１の態様によれば、ユーザーによって患者に貼付するためのユーザー構成可能なプレカット・キネシオロジテープのストリップが提供される。プレカット・キネシオロジテープのストリップは、第１の端部と第２の端部とを備えている。それぞれの端部は複数のローブ（lobe）を備えている。複数のローブはそれぞれ対になって向かい合って配置されている。第１の端部と第２の端部にある複数のローブは、間にトラフ（trough）を備えて互いに概ね隣接している。キネシオロジテープのストリップの接着面の上には、裏紙を備えている。裏紙にはキネシオロジテープのストリップの一方の端部から他方の端部まで、対向する複数のトラフとを結ぶ第１のセットの長手方向に延びるグリッド線（longitudinal grid line）が付されている。複数の長手方向に延びるグリッド線はキネシオロジテープのストリップ及び裏紙の複数のアンカット部（uncut portion）に対応している。複数の長手方向に延びるグリッド線は、裏紙を除去して、患者の身体に貼付するのに先立ち、１以上の長手方向に延びるグリッド線に沿ってキネシオロジテープのストリップを選択的にカットすることを許容し、キネシオロジテープのストリップをいくつかの可能な構成のいずれか１つに成形することを許容する。
【００１２】
また、プレカット・キネシオロジテープのストリップは、裏紙に一定間隔で複数の幅方向に延びるグリッド線（latitudinal grid line）が付されていてもよい。このような、複数の幅方向に延びるグリッド線は、真っ直ぐに横断していてもよいし、最も近い位置にある第１の端部又は第２の端部の複数のローブ及び複数のトラフと対応している複数のローブ及び複数のトラフを備えていてもよい。また、キネシオロジテープのストリップには、裏紙の第１のセットの複数の長手方向に延びるグリッド線と対向する第２のセットの複数の長手方向に延びるグリッド線を備えていてもよい。
【００１３】
ローブは、概ね丸みを帯びた（rounded）形状をしていてもよい。トラフは、概ねＶ字形状（V-shaped）または概ね切欠き形状（notch-shaped）をしていてもよい。トラフは、ローブの間のスペースとなっていることが好ましい。
【００１４】
さまざまな寸法が可能である。しかしながら、キネシオロジテープのストリップの長さ寸法は、少なくとも約２５４ｍｍ（１０インチ）であり、幅寸法は、少なくとも約７６．２ｍｍ（３インチ）であることが好ましい。第１の端部と第２の端部には、それぞれ少なくとも約３つのローブが備えられていることが好ましい。
【００１５】
本発明の第２の態様によれば、ユーザにより患者にキネシオロジテープのストリップを貼付するためにキネシオロジテープのストリップを構成する方法が提供される。プレカット・キネシオロジテープのストリップは、第１の端部と第２の端部とを備えている。それぞれの端部は複数のローブを備えている。複数のローブはそれぞれ対になって向かい合って配置されている。第１の端部と第２の端部にある複数のローブは間にトラフを備えて互いに概ね隣接している。キネシオロジテープのストリップの接着面の上には、裏紙を備えている。キネシオロジテープのストリップ及び裏紙の少なくとも一方には、一方の端部から他方の端部まで、対向する複数のトラフを結ぶ１つのセットの複数の長手方向に延びるグリッド線が付されている。複数の長手方向に延びるグリッド線はキネシオロジテープのストリップ及び裏紙の複数のアンカット部に対応している。キネシオロジテープのストリップを構成するために、１以上の長手方向に延びるグリッド線の少なくとも一部に沿って選択的にカットし、１つのトラフから各カットを開始しする。１つのカット（または複数のカット）は少なくとも１つのアンカー部（anchor portion）をキネシオロジテープのストリップに残す。この少なくとも１つのアンカー部は、概ねユーザーによって患者に最初に貼付される部分として選択されたキネシオロジテープのストリップのアンカット部に対応する。この少なくとも１つのアンカー部は、ユーザーの好みによりキネシオロジテープのストリップのどこにでも選択的に位置決めすることができる。また、１つのカット（または複数のカット）は、カットされた複数のグリッド線によって複数のフィンガー部（finger portion）を形成する。複数のフィンガー部は、アンカー部を貼付した後に患者に貼付される、ユーザにより選択された次のキネシオロジテープのストリップの複数の部分となる。
【００１６】
キネシオロジテープのストリップはさらに、キネシオロジテープのストリップ及び裏紙の一方または双方に沿って一定間隔で付された複数の幅方向に延びるグリッド線を備えているときには、カットするステップが、少なくとも１つの複数の幅方向に延びるグリッド線に沿って選択的にカットすることを含んでいる。
【００１７】
さらに、複数の幅方向に延びるグリッド線は、最も近い位置にある第１の端部又は第２の端部の複数のローブ及び複数のトラフと対応する複数のローブ及び複数のトラフを備えているときには、カットするステップが、複数のローブ及び複数のトラフを辿るために、少なくとも１つの幅方向に延びるグリッド線に沿って選択的にカットすることを含む。
【００１８】
ユーザー構成可能な製品（user-configurable item）とすることにより、様々なカットパターン（cutting pattern）や作業順序が可能である。少なくとも複数の幅方向に延びるグリッド線の一部に沿ってカットするのに先立ち、複数の長手方法のグリッド線の少なくとも一部をカットすることが好ましい。カットするステップには、フィンガー部を短くする、またはフィンガー部を除去するために１つのフィンガー部に対応する複数の幅方向に延びるグリッド線の一部のみをカットすることを含んでいてもよい。カットするステップには、１つのグリッド線の幅の１つのフィンガー部を形成するために、互いに平行な複数の長手方向に延びるグリッド線に沿ってカットすることを含んでいてもよい。カットするステップには、１つのグリッド線の幅より大きい１つのフィンガー部を形成するために、１以上の長手方向に延びるグリッド線により間隔を空けられて、複数の長手方向に延びるグリッド線に沿ってカットすることを含んでいてもよい。カットするステップには、異なる長さの複数のカットを形成することを含んでいてもよい。代わりに、カットするステップには、同じ長さの複数のカットを形成することを含んでいてもよい。カットするステップには、概ね互いに対向しているグリッド線のカット部分（cutting portion）か、概ね互いに対向しているか又は対向する端部において互いにオフセットされた複数のグリッド線の複数の部分をカットすることを含んでいてもよい。
【図面の簡単な説明】
【００１９】
【図１】好ましい実施形態のユーザー構成可能なプレカット・キネシオロジテープのストリップの第１面を示す図。
【図２】図１のプレカット・キネシオロジテープのストリップの第１面と対向する裏紙上のグリッド線の２つの可能な構成を示す図。
【図３】アンカー部とフィンガー部をカットして形成したキネシオロジテープのストリップの一部を示すための、ユーザー構成可能なプレカット・キネシオロジテープのストリップを患者に貼付した状態の一例を示す図。
【図４】アンカー部とフィンガー部をカットして形成したキネシオロジテープのストリップの一部を示すための、ユーザー構成可能なプレカット・キネシオロジテープのストリップを患者に貼付した状態の一例を示す図。
【図５】アンカー部とフィンガー部をカットして形成したキネシオロジテープのストリップの一部を示すための、ユーザー構成可能なプレカット・キネシオロジテープのストリップを患者に貼付した状態の一例を示す図。
【図６】アンカー部とフィンガー部をカットして形成したキネシオロジテープのストリップの一部を示すための、ユーザー構成可能なプレカット・キネシオロジテープのストリップを患者に貼付した状態の一例を示す図。
【図７】アンカー部とフィンガー部をカットして形成したキネシオロジテープのストリップの一部を示すための、ユーザー構成可能なプレカット・キネシオロジテープのストリップを患者に貼付した状態の一例を示す図。
【図８】アンカー部とフィンガー部をカットして形成したキネシオロジテープのストリップの一部を示すための、ユーザー構成可能なプレカット・キネシオロジテープのストリップを患者に貼付した状態の一例を示す図。
【図９】ユーザー構成可能なプレカット・キネシオロジテープのストリップをカットする第１段階を示す図。
【図１０】ユーザー構成可能なプレカット・キネシオロジテープのストリップをカットし、アンカー部とフィンガー部を形成して患者に貼付する準備をした第２段階を示す図。
【発明を実施するための形態】
【００２０】
図１には、ユーザー構成可能なプレカット・キネシオロジテープのストリップ１０が示されている。このストリップは、感圧接着材（pressure-sensitive adhesive）を塗布された高い伸縮性（high-elasticity）を持つ生地ベース（cloth base）を備えたキネシオロジテープのストリップから構成されている。一方の面は、生地面３０である。接着面（図示しない）には、使用前に、テープがカールしたり（curling）、接着材が乾燥したり、汚れたりするのを防ぐために、裏紙１００が付されている。このストリップは、普通のロール状のキネシオロジテープよりも、長く、幅が広い。この生地は、長手方向に高い伸縮性を備えた天然繊維又は合成繊維の織物であることが好ましい。接着剤は、非ラテックス製（non-latex）の接着剤が好ましい（例えば、ポリアクリル酸接着剤［polyacrylic adhesive］）。
【００２１】
ストリップは、第１の端部３０と第２の端部４０とを備えている。各端部は、ホタテガイの縁のように波を打った形状（scalloped pattern）を備えていることが好ましい（図１に示すように、トラフ６０により区切られたローブ５０が備えられている）。この方式のストリップは、端部領域（end region）８０，９０と中央領域（central region）７０とを備えていると考えることができる。
【００２２】
図２（Ａ）と図２（Ｂ）には、２つの異なるレイアウト（layout）の裏紙１００が示されている。これらは、２つの可能なサイズ（possible size）のテープストリップと、２つの構成可能（possible configuration）な裏紙のグリッド線を表している。様々なレイアウトが可能である。これらの図では、裏紙１００に多数のグリッド線が印刷されている。長手方向に延びるグリッド線１１０は、ストリップの一方の端部のトラフ６０から他方の端部のトラフ６０の間を延びている（好ましくは、結び合わされている）。また、幅方向（または横方向）に延びる複数のグリッド線１２０は、テープストリップの横幅を横切っている。また、複数のグリッド線はテープストリップ自体にも（または選択的に）印刷されていてもよい。また、裏紙及び／またはテープストリップには、他のしるし（indicia）複数のカット可能領域（例えば、ストリップに複数の窓［windows］、複数のポート［ports］、または複数のスロット［slots］を切り込むことが可能な複数の領域）を含めてもよい。望ましくは、販売される時点では、ストリップは、長さ全体に渡り、完全であり、カットされていない。このような完全な状態（integrity）は、全体の（カットされていない）形での貼付を許容し（図４参照）、複数のカットの配置（placement of cuts）に最大限の柔軟性（maximum flexibility）を許容する。
【００２３】
複数のグリッド線１１０，１２０は、ストリップを成形するためのカットを可能にする。図９及び図１０に示すように、構成可能（configurable）なストリップ２００をカットするために、複数のトラフ２６０中の１つのトラフから１つのカットを開始してもよい。図示するように、ユーザーは、長手方向に延びる１つのグリッド線２４０に沿って幅方向に延びるグリッド線の位置２３０に到達するまで、または他の所望の停止位置に達するまで、カットし、１つのトラフ２６０を分離して切り口（cut edge）２６０Ａ，２６０Ｂを形成する。典型的には（Typically）、ユーザーがストリップを最後まで（all the way）横切ってカットすることはなく、ストリップに沿ったいずれかの位置でカットを停止する。アンカット部（uncut portion）は、アンカー部（大まかに、ここでは指定された概念的（notionally）な領域２１０として示されている）（アンカー部は、概ね、患者に最初に貼付する場所である。）を形成し、カット部（cut portion）は概念的なアンカー部２１０から外側に延びるフィンガー部を形成してもよい（これらのフィンガー部２２０Ａ〜Ｅは、アンカー部２１０を患者に貼付した後に、貼付される）。複数のフィンガー部は、幅方向または長手方向（またはそれらの組み合わせ）に形成されてもよい。
【００２４】
複数のグリッド線は、ストリップをどのようにカットするかをユーザーに前もって計画させることを可能にし、望むのであれば対称的に形成し、またはさもなくば意図的に均一に（evenly）形成する、設計（design）を可能にする（現在、複数のテープロールがカットされているように、ルーズな意図［loose idea］で行き当たりばったり［haphazardly］、というようよりむしろ）。所定のアンカー部の配置を備えている他の複数のストリップとは違って、ストリップに沿ったどこにでもアンカー部を配置すべく構成をすることができる（端部領域８０，９０の一つまたは中央領域７０にある必要はない。）。したがって、このストリップでは、貼付の創造性（creativity）と繰り返し可能な標準化（repeatable standardization）の両方を促進することができる。
【００２５】
また、複数のグリッド線は、患者個人が繰り返しの治療（repeat therapy）を継続的かつ容易に行うために、ストリップをどのようにカットするのかを記録する（documenting）ことを容易にする。
【００２６】
また、複数のグリッド線は、複雑な複数の扇形（complicated fan shape）を直線としてカットすることを容易にする。そして、均質な複数のフィンガーカット（consistent finger cuts)が、全長にわたって、均一に形成することができる。
【００２７】
フィンガー部を望んでいる長さに切り取る（trimming）ことができることにより、幅方向に延びるグリッド線はストリップの縮小を可能にする。また、拡大された窓やスロットを形成するために、フィンガー部全体を除去することもできる。幅方向に延びるグリッド線は、真っ直ぐに横断していてもよいし（図のように）、両端部の波を打った／浅裂の（scalloped/lobed)パターンを反映させてもよい。
【００２８】
はさみ３００は、テープストリップと一式で提供されたものでもよいし、単独で入手したものでもよい。好ましくは、テープストリップを構成するために用いるのは、布用はさみ（fabric-type scissor）か医療用はさみ（medical scissor）を使用し、刃先は接着材がくっつかないようにするコーティングが施されているものがよい。
【００２９】
また、裏紙を分割できるように（公知の技術ように）、裏紙のグリッド線のいくらかは、全体的または部分的にミシン目を入れたり（perforated）、切れ目を入れたり（scored）、弱めたり（weakened）していてもよい（例えば、図２（Ａ）及び（Ｂ）のはっきりとした破線［bold dashed line］で示された線１３０）。裂開、またはミシン目を入れた場所を折り曲げることにより、裏紙は分割され、裏紙を解体して除去し、構成したばかりのテープストリップ２００が患者に位置決めされる。ユーザーはアンカー部２１０を患者に貼り付け、その後に、フィンガー部２２０Ａ〜Ｅを貼り付ける。これらの部分のそれぞれを貼り付ける段階において、裏紙の一部分を除去する。裏紙の除去が早すぎると、ストリップのカット部がねじれたり（twisting）、もつれたり（tangling）するという結果になる。ストリップは、どの時点においても、患者の身体の周囲に広がることなく、患者に置かれる。さらにまた、ストリップの全長、全幅にわたって患者の肌との十分に継続的な付着接触（adhesive contact）が作られるように、ストリップは（好ましい段階で）貼付される。
【００３０】
ストリップの寸法は、少なくとも２５４ｍｍ（１０インチ）の長さと、少なくとも７６．２ｍｍ（３インチ）の幅が好ましい。各端部のローブの数は、少なくとも３つが好ましい。均等に分けて、対称なフィンガー部を形成するために、好ましい実施の形態では、同数のローブを備えている。しかしながら、対称であることや、同数のローブであることは必須ではない。さらに、グリッド線が裏紙と直角であり平行である（または横切る）ことは必要不可欠なものではなく、別のスキームに従って構成してもよいと認識している（例えば、いずれかの形状の窓の輪郭を描いてもよく、この場合は、必ずしもグリッド線によってストリップの端部または端を結ぶことはできないかもしれない）。さらに、接着材は、グリッド線の一部または全てに従いパターン形成（patterned）されてもよい（例えば、ユーザーがグリッド線でカットすることによって、ストリップの接着材から裏紙が時期尚早にはがれることを防ぐためである）
図４に示すように、長く／幅広い貼付方法においては、ストリップをカットしないままで、貼付してもよい（「Ｉ」の形状に似た貼付方法）。図５に示すように、非常に長く／幅広いリンパティックカットを得てもよい。図６に示すように、単一の中央の長手方向に延びるカットを加えてもよい。図７に示すように、短いフィンガー部をリンパ管の扇形状（lymphatic fan shape）にカットすることによって、短いリンパティックカットを得てもよい。図８に示すように、長く／幅広い貼付方法においては、「Ｘ」の形状の貼付方法を構成することができる。
【００３１】
また、グリッド線による柔軟性は、既存のプレカット貼付材やロール形状の貼付材にはない、様々な形状を構成することを可能にする。例えば、図３に示すように、ストリップを扇形のストリップと「Ｙ」形状のストリップの複合物に形成してもよい。これは、容易さと、継続的な貼付と、１つの貼付において、２つ（またはそれ以上）の貼付技術を組み合わせる能力を与える。これまでに、別個のプレカット貼付材（１つの扇形と１つの「Ｙ」形状）を組み合わせる貼付が求められたことで、得られたこのタイプの形状には、プレカット貼付材が重複するのに伴う不利益を含んでいた。
【００３２】
ユーザー構成可能なプレカット・キネシオロジテープのストリップには、多数の実務上の利点がある。このストリップは、専門的な使用に対して大きな柔軟性がある。専門的なユーザーは、それぞれの考えられる治療のための別個の貼付材の全商品を購入して、維持する必要がないため、準備費用が低くなる。このストリップは、従来型のテープよりも幅が広く、端部が予め丸くなっている（prerounded）という特徴がある。このグリッド線は、再現性のある、均一で真っ直ぐなカットを可能にする。同じ患者のために同じ形状のストリップを複数回作成することができ、専門的なスタッフは、前もって、複製品を繰り返して作り出すことができる。また、グリッド線がテンプレートとしての役割を果たすため、貼付した形状を記録するのも容易である。患者のファイル用にカットしたグリッド線を明確に記録するために、貼り付け前に、カットするストリップを撮影するか、スケッチすることができる。また、患者自身が使用するために、どのようにストリップをカットするかを、臨床医が教えることも可能である。
【００３３】
また、いくつかの治療的／臨床的な利点もある。以前は単一のストリップではできなかったいくつかの形状が、現在では、単一のストリップでできる（複合治療［hybrid therapy］や大きい寸法での貼付［large scale application］を含む）。互いに剥がれたり（delaminate）、ユーザーから引き離される（pull away）可能性がある重複したストリップ（overlapped strip）の必要性が少ない。このグリッド線は、正確な成形と、再現性のあるカットを可能にするため、このストリップでは、継続的で、記録可能な治療が可能である。さらに、このストリップは、専門的なユーザーが異なる大きさの患者（子供や、大柄または肥満の患者）に応じて、治療を拡大または縮小することを可能にし、動物の治療でさえも可能にする。長さと幅の双方とも、容易に、かつ繰り返して拡大縮小が可能である。患者にストリップを貼付する際に、どこにストリップを固定するかについての柔軟性は高い。ストリップ状のどの点でも固定することができ、個々のケースに応じて拡大縮小可能である。長いフィンガー部は、どの方向にも設けることができ、複数の端部を対称に配置する必要もない。また、グリッド線によって、ユーザーは、特殊な目的で（例えば、鍼治療［acupuncture］、薬物治療［medicine］、または輸液［fluid delivery］）、窓、アクセスギャップ（access gap）、またはスロット（slot）を作ることができる。これは、医療機器や他の介在（intervention）との融合（integration）の可能性もあるだろう。
【００３４】
請求の範囲は、例示する好ましい実施の形態によって制限されるべきものではなく、明細書全体と矛盾のない、最も広い合目的的解釈（purposive construction）をすべきである。
【図１】
2016524497.tif 000003
【図２Ａ】
2016524497.tif 000004
【図２Ｂ】
2016524497.tif 000005
【図３】
2016524497.tif 000006
【図４】
2016524497.tif 000007
【図５】
2016524497.tif 000008
【図６】
2016524497.tif 000009
【図７】
2016524497.tif 000010
【図８】
2016524497.tif 000011
【図９】
2016524497.tif 000012
【図１０】
2016524497.tif 000013
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
第１の端部と第２の端部とを備えたプレカット・キネシオロジテープのストリップと、
前記プレカット・キネシオロジテープのストリップの接着面の上にある裏紙とを備え、
前記第１の端部と前記第２の端部にはそれぞれ複数のローブを備え、前記複数のローブはそれぞれ対になって向かい合って配置され、前記第１の端部と前記お第２の端部にある前記複数のローブは、間にトラフを備えて互いに概ね隣接しており、
前記裏紙には前記プレカット・キネシオロジテープのストリップの一方の前記端部から他方の端部まで対向する複数のトラフを結ぶ第１のセットの複数の長手方向に延びるグリッド線が付されており、
前記長手方向に延びるグリッド線が、前記裏紙を除去して、患者の身体に貼付するのに先立ち、前記プレカット・キネシオロジテープのストリップをいくつかの可能な構成のいずれか１つに成形するために、前記プレカット・キネシオロジテープのストリップをカットすることを容易にする患者に貼付されるユーザー構成可能なプレカット・キネシオロジテープのストリップ。
【請求項２】
前記裏紙に一定間隔で複数の幅方向に延びるグリッド線が付されていることを特徴とする請求項１に記載のユーザー構成可能なプレカット・キネシオロジテープのストリップ。
【請求項３】
前記複数の幅方向に延びるグリッド線は、最も近い位置にある前記第１の端部又は前記第２の端部の前記複数のローブ及び前記複数のトラフと対応する複数のローブ及び複数のトラフを備えていることを特徴とする請求項２に記載のユーザー構成可能なプレカット・キネシオロジテープのストリップ。
【請求項４】
前記プレカット・キネシオロジテープのストリップには、前記裏紙の前記第１のセットの複数の長手方向に延びるグリッド線と対向する第２のセットの複数の長手方向に延びるグリッド線を備えていることを特徴とする請求項１に記載のユーザー構成可能なプレカット・キネシオロジテープのストリップ。
【請求項５】
前記複数のローブは、概ね丸みを帯びていることを特徴とする請求項１に記載のユーザー構成可能なプレカット・キネシオロジテープのストリップ。
【請求項６】
前記複数のトラフは、概ねＶ字形状または概ね切欠き形状であることを特徴とする請求項１に記載のユーザー構成可能なプレカット・キネシオロジテープのストリップ。
【請求項７】
前記複数のトラフは、前記複数のローブの間のスペースとなっていることを特徴とする請求項１に記載のユーザー構成可能なプレカット・キネシオロジテープのストリップ。
【請求項８】
前記キネシオロジテープのストリップの長さ寸法は、少なくとも約２５４ｍｍ（１０インチ）であることを特徴とする請求項１に記載のユーザー構成可能なプレカット・キネシオロジテープのストリップ。
【請求項９】
前記キネシオロジテープのストリップの幅寸法は、少なくとも約７６．２ｍｍ（３インチ）であることを特徴とする請求項１に記載のユーザー構成可能なプレカット・キネシオロジテープのストリップ。
【請求項１０】
前記第１の端部と前記第２の端部には、それぞれ少なくとも約３つのローブが備えられていることを特徴とする請求項１に記載のユーザー構成可能なプレカット・キネシオロジテープのストリップ。
【請求項１１】
ユーザー構成可能なプレカット・キネシオロジテープのストリップを構成し且つ患者に貼付する方法であって、
前記ユーザー構成可能なプレカット・キネシオロジテープのストリップが、第１の端部と第２の端部とを備えるキネシオロジテープのプレカット・ストリップと、前記キネシオロジテープの前記プレカット・ストリップの接着面の上にある裏紙とを備え、前記キネシオロジテープの前記プレカット・ストリップ及び前記裏紙の少なくとも一方には、前記キネシオロジテープの前記プレカット・ストリップの両端を互いに結ぶ１つのセットの複数の長手方向に延びるグリッド線が付されており、
１以上の前記長手方向に延びるグリッド線の少なくとも一部に沿って、複数のフィンガー部を生成するためにカットするステップと、
少なくとも一つのアンカー部を前記キネシオロジテープの前記プレカット・ストリップに残すステップと、
前記アンカー部を前記患者に最初に貼付けるステップと、
前記アンカー部を貼付した後に前記患者に前記フィンガー部を貼付するステップとからなるキネシオロジテープのストリップを構成する方法。
【請求項１２】
各端部は複数のローブを有し、対向する各端部の前記複数のローブは組になって互いに隣接して配置され、各端部の前記複数のローブは前記ローブ間にそれぞれトラフを備えて互いに概ね隣接しており、前記複数のグリッドラインが前記キネシオロジテープの前記プレカット・ストリップの一端から他端まで前記複数のトラフを結んでいる請求項１１に記載の方法。
【請求項１３】
前記ユーザー構成可能なプレカット・キネシオロジテープのストリップは、前記キネシオロジテープの前記プレカット・ストリップまたは前記裏紙の一方または両方に沿って所定の間隔をあけて付された複数の幅方向に延びるグリッド線をさらに備えており、
前記カットするステップは、少なくとも１つの前記幅方向に延びるグリッド線に沿ってカットすることを含む請求項１２に記載の方法。
【請求項１４】
前記複数の幅方向に延びるグリッド線は、最も近い位置にある前記端部の前記複数のローブ及び前記複数のトラフと対応する複数の幅方向のローブ及び複数の幅方向のトラフを備えており、
さらに、前記カットするステップは、前記幅方向のローブ及び前記幅方向のトラフを辿って、少なくとも１つの前記幅方向に延びるグリッド線に沿ってカットすることを含む請求項１３に記載の方法。
【請求項１５】
少なくとも前記複数の幅方向に延びるグリッド線の一部をカットするのに先立ち、前記複数の長手方向に延びるグリッド線の少なくとも一部がカットされる請求項１３に記載の方法。
【請求項１６】
前記カットするステップは、少なくとも１つの前記フィンガー部を短くする、または少なくとも一つの前記フィンガー部を除去するために前記複数の幅方向に延びるグリッド線の一部のみをカットすることを含む請求項１５に記載の方法。
【請求項１７】
前記カットするステップは、隣接する一対の前記長手方向に延びるグリッド線に沿ってカットすることを含む請求項１１に記載の方法。
【請求項１８】
前記カットするステップは、隣接しない一対の前記長手方向に延びるグリッド線をカットすることを含む請求項１１に記載の方法。
【請求項１９】
前記カットするステップは、異なる長さの複数のカットを形成することを含む請求項１１に記載の方法。
【請求項２０】
前記カットするステップは、同じ長さの複数のカットを形成することを含む請求項１１に記載の方法。
【請求項２１】
前記カットするステップは、概ね互いに対向しているか又は対向する端部において互いにオフセットされた前記複数のグリッド線の複数の部分をカットすることを含む請求項１１に記載の方法。
【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
第１の端部と第２の端部とを備えたプレカット・キネシオロジテープのストリップと、
前記プレカット・キネシオロジテープのストリップの接着面の上にある裏紙とを備え、
前記第１の端部と前記第２の端部にはそれぞれ複数のローブを備え、前記複数のローブはそれぞれ対になって向かい合って配置され、前記第１の端部と前記第２の端部にある前記複数のローブは、間にトラフを備えて互いに概ね隣接しており、
前記裏紙には対向する複数のトラフの間を延びる第１のセットの複数の長手方向に延びるグリッド線が付されており、
前記長手方向に延びるグリッド線が、前記裏紙を除去して、患者の身体に貼付するのに先立ち、前記プレカット・キネシオロジテープのストリップをいくつかの可能な構成のいずれか１つに成形するために、前記プレカット・キネシオロジテープのストリップをカットすることを容易にする患者に貼付されるユーザー構成可能なプレカット・キネシオロジテープのストリップ。
【請求項２】
前記裏紙に一定間隔で複数の幅方向に延びるグリッド線が付されていることを特徴とする請求項１に記載のユーザー構成可能なプレカット・キネシオロジテープのストリップ。
【請求項３】
前記複数の幅方向に延びるグリッド線は、最も近い位置にある前記第１の端部又は前記第２の端部の前記複数のローブ及び前記複数のトラフと対応する複数のローブ及び複数のトラフを備えていることを特徴とする請求項２に記載のユーザー構成可能なプレカット・キネシオロジテープのストリップ。
【請求項４】
前記プレカット・キネシオロジテープのストリップには、前記裏紙の前記第１のセットの複数の長手方向に延びるグリッド線と対向する第２のセットの複数の長手方向に延びるグリッド線を備えていることを特徴とする請求項１乃至３のいずれか１項に記載のユーザー構成可能なプレカット・キネシオロジテープのストリップ。
【請求項５】
前記複数のローブは、概ね丸みを帯びていることを特徴とする請求項１乃至４のいずれか１項に記載のユーザー構成可能なプレカット・キネシオロジテープのストリップ。
【請求項６】
前記複数のトラフは、概ねＶ字形状または概ね切欠き形状であることを特徴とする請求項１乃至４のいずれか１項に記載のユーザー構成可能なプレカット・キネシオロジテープのストリップ。
【請求項７】
前記複数のトラフは、前記複数のローブの間のスペースとなっていることを特徴とする請求項１乃至６のいずれか１項に記載のユーザー構成可能なプレカット・キネシオロジテープのストリップ。
【請求項８】
前記キネシオロジテープのストリップの長さ寸法は、少なくとも約２５４ｍｍ（１０インチ）であることを特徴とする請求項１乃至７のいずれか１項に記載のユーザー構成可能なプレカット・キネシオロジテープのストリップ。
【請求項９】
前記キネシオロジテープのストリップの幅寸法は、少なくとも約７６．２ｍｍ（３インチ）であることを特徴とする請求項１乃至８のいずれか１項に記載のユーザー構成可能なプレカット・キネシオロジテープのストリップ。
【請求項１０】
前記第１の端部と前記第２の端部には、それぞれ少なくとも約３つのローブが備えられていることを特徴とする請求項１乃至９のいずれか１項に記載のユーザー構成可能なプレカット・キネシオロジテープのストリップ。
【請求項１１】
前記複数の長手方向に延びるグリッド線は、前記プレカット・キネシオロジテープのストリップの一方の端部から他方の端部まで延び且つ対向する複数のトラフを結ぶ請求項１乃至１０のいずれか１項に記載のユーザー構成可能なプレカット・キネシオロジテープのストリップ。
【請求項１２】
ユーザー構成可能なプレカット・キネシオロジテープのストリップを構成する方法であって、
前記ユーザー構成可能なプレカット・キネシオロジテープのストリップが、第１の端部と第２の端部とを備えるキネシオロジテープのプレカット・ストリップと、前記キネシオロジテープの前記プレカット・ストリップの接着面の上にある裏紙とを備え、前記キネシオロジテープの前記プレカット・ストリップ及び前記裏紙の少なくとも一方には、前記キネシオロジテープの前記プレカット・ストリップの両端の間を延びる１つのセットの複数の長手方向に延びるグリッド線が付されており、
１以上の前記長手方向に延びるグリッド線の少なくとも一部に沿って、複数のフィンガー部を生成するためにカットするステップと、
少なくとも一つのアンカー部を前記キネシオロジテープの前記プレカット・ストリップに残すステップとからなるプレカット・キネシオロジテープのストリップを構成する方法。
【請求項１３】
各端部は複数のローブを有し、対向する各端部の前記複数のローブは組になって互いに隣接して配置され、各端部の前記複数のローブは前記ローブ間にそれぞれトラフを備えて互いに概ね隣接しており、前記複数のグリッドラインが前記複数のトラフの間を延びている請求項１２に記載の方法。
【請求項１４】
前記ユーザー構成可能なプレカット・キネシオロジテープのストリップは、前記キネシオロジテープの前記プレカット・ストリップまたは前記裏紙の一方または両方に沿って所定の間隔をあけて付された複数の幅方向に延びるグリッド線をさらに備えており、
前記カットするステップは、少なくとも１つの前記幅方向に延びるグリッド線に沿ってカットすることを含む請求項１２または１３に記載の方法。
【請求項１５】
前記複数の幅方向に延びるグリッド線は、最も近い位置にある前記端部の前記複数のローブ及び前記複数のトラフと対応する複数の幅方向のローブ及び複数の幅方向のトラフを備えており、
さらに、前記カットするステップは、前記幅方向のローブ及び前記幅方向のトラフを辿って、少なくとも１つの前記幅方向に延びるグリッド線に沿ってカットすることを含む請求項１４に記載の方法。
【請求項１６】
少なくとも前記複数の幅方向に延びるグリッド線の一部をカットするのに先立ち、前記複数の長手方向に延びるグリッド線の少なくとも一部がカットされる請求項１４に記載の方法。
【請求項１７】
前記カットするステップは、少なくとも１つの前記フィンガー部を短くする、または少なくとも一つの前記フィンガー部を除去するために前記複数の幅方向に延びるグリッド線の一部のみをカットすることを含む請求項１６に記載の方法。
【請求項１８】
前記カットするステップは、隣接する一対の前記長手方向に延びるグリッド線に沿ってカットすることを含む請求項１２乃至１７のいずれか１項に記載の方法。
【請求項１９】
前記カットするステップは、隣接しない一対の前記長手方向に延びるグリッド線をカットすることを含む請求項１２乃至１８のいずれか１項に記載の方法。
【請求項２０】
前記カットするステップは、異なる長さの複数のカットを形成することを含む請求項１２乃至１９のいずれか１項に記載の方法。
【請求項２１】
前記カットするステップは、同じ長さの複数のカットを形成することを含む請求項１２乃至２０のいずれか１項に記載の方法。
【請求項２２】
前記カットするステップは、概ね互いに対向しているか又は対向する端部において互いにオフセットされた前記複数のグリッド線の複数の部分をカットすることを含む請求項１２乃至２１のいずれか１項に記載の方法。
【請求項２３】
前記カットするステップは、ユーザーにより実行される請求項１２乃至２２のいずれか１項に記載の方法。
【請求項２４】
前記カットするステップは、はさみを用いて実行される請求項１２乃至２３のいずれか１項に記載の方法。
【国際調査報告】
2016524497.tif 000014
2016524497.tif 000015
2016524497.tif 000016